(57)【特許請求の範囲】
【請求項１】
送風ファンの外形を囲み吸込ダクトを連結する吸込口を設けたファンケーシングを有し、前記送風ファンを支承するファン軸を反吸込側に設けた軸受架台に取り付けられた軸受に受承する構成とした片持形送風装置において、
前記送風ファンの反吸込側に軸受架台に取り付けられた軸受と、
前記ファン軸が貫通する開口を有し、前記軸受と前記送風ファンとの間を区画するファン仮止め板と、
前記ファン軸に嵌着される羽根ハブに、前記軸受の径方向最突出部より軸心から隔てる位置に穿設された複数個のファン仮止めネジ穴と、
前記ファン仮止め板に、前記ファン仮止めネジ穴位置に相対するネジ挿入穴と、
前記ファン軸には、前記ファン仮止め板と前記軸受との間にファン軸に固定され遊転するように設けたカラーを設け、
軸受の交換の際には、ボルトを前記ファン仮止め板の軸受側よりネジ挿入穴を介して羽根ハブのファン仮止めネジ穴に螺合仮止めし、
さらに、前記羽根ハブと共に前記ファン仮止め板に共締めされ、かつ、前記カラーを前記送風ファンの方向に押圧するファン引止め板を備えた送風機器の軸受交換装置。
【請求項２】
送風ファンの外形を囲み吸込ダクトを連結する吸込口を設けたファンケーシングを有し、前記送風ファンを支承するファン軸を反吸込側に設けた軸受架台に取り付けられた軸受に受承する構成とした片持形送風装置において、
前記送風ファンの反吸込側に軸受架台に取り付けられた軸受と、
前記ファン軸が貫通する開口を有し、前記軸受と前記送風ファンとの間を区画するファン仮止め板と、
前記ファン軸に嵌着される羽根ハブに、前記軸受の径方向最突出部より軸心から隔てる位置に穿設された複数個のファン仮止めネジ穴と、
前記ファン仮止め板に、前記ファン仮止めネジ穴位置に相対するネジ挿入穴と、
前記ファン軸には、前記ファン仮止め板と前記軸受との間にＵ字溝を設け、
軸受の交換の際には、ボルトを前記ファン仮止め板の軸受側よりネジ挿入穴を介して羽根ハブのファン仮止めネジ穴に螺合仮止めし、
さらに、前記羽根ハブと共に前記ファン仮止め板に共締めされ、かつ、前記U字溝に嵌め込んで、前記送風ファンの方向に押圧するファン引止め板を備えた送風機器の軸受交換装置。
【発明の詳細な説明】
【０００１】
【発明の属する技術分野】
本発明は、ダクト系および空調機器の構成体の一部として送風に使用される片持形送風機器の軸受交換装置に関する。
【０００２】
【従来の技術】
従来、この種の片持形送風機器の軸受交換装置は、特許公報（Ｂ２）第２６３０９１０号に記載のものが知られている。
【０００３】
以下、その軸受交換装置について図１１および図１２を参照しながら説明する。
【０００４】
図に示すように、送風ファン１０１は羽根車１０２を固着した羽根ハブ１０３とテーパーブッシング１０４からなり、羽根ハブ１０３とテーパーブッシング１０４は互いにファン軸１０５を片持ちで受承される軸受１０６の方向に先細となる面接触可能なテーパー面部１０７を形成し、かつ、テーパーブッシング１０４に設けられたスリ割りの切欠部１０８で構成されている。羽根ハブ１０３とテーパーブッシング１０４をボルト１０９を締め付けることにより、テーパー面部１０７の押圧力をテーパーブッシング１０４の切欠部１０８に作用させてファン軸１０５に締結している。
【０００５】
また、ファンケーシング１１０のファン軸１０５が貫通する端面部に固着したケーシンググランド１１１と、羽根ハブ１０３との対向面に互いに面接触可能なテーパー面１１２を軸受１０６の方向に先細に形成され、軸受１０６を交換する際にはボルト１１３を使用して羽根ハブ１０３をテーパー面１１２に沿ってケーシンググランド１１１に締め付けられる。したがって羽根ハブ１０３はファン軸１０５に同心的に固定されることとなる。
【０００６】
次にボルト１０９を取り外せば羽根ハブ１０３はケーシンググランド１１１に固定されたままファン軸１０５をテーパーブッシング１０４から抜き取ることができる。
【０００７】
【発明が解決しようとする課題】
このような従来の送風機器の軸受交換装置では、テーパーブッシングと羽根ハブとケーシンググランドの３つが相互に関連する構成部品を必要とし、構成部品の個々が互いに面接触可能なテーパー面を形成してあることが構成要素条件とした課題があり、これを満足させるにはテーパー面を旋削加工するか、または金型成型品によるかいずれにおいても必然的にコスト高が伴ってくるという課題があり、構造の簡素化とコストを低減化することが要求されている。
【０００８】
本発明は、このような従来の課題を解決するものであり、面接触可能なテーパー面を必要とせずに構造の簡素化とコストの低減化することができる送風機器の軸受交換装置を提供することを目的としている。
【０００９】
【課題を解決するための手段】
本発明の送風機器の軸受交換装置は上記目的を達成するために、前記送風ファンの反吸込側に軸受架台に取り付けられた軸受と、前記ファン軸が貫通する開口を有し、前記軸受と前記送風ファンとの間を区画するファン仮止め板と、前記ファン軸に嵌着される羽根ハブに、前記軸受の径方向最突出部より軸心から隔てる位置に穿設された複数個のファン仮止めネジ穴と、前記ファン仮止め板に、前記ファン仮止めネジ穴位置に相対するネジ挿入穴と、前記ファン軸には、前記ファン仮止め板と前記軸受との間にファン軸に固定され遊転するように設けたカラーを設け、軸受の交換の際には、ボルトを前記ファン仮止め板の軸受側よりネジ挿入穴を介して羽根ハブのファン仮止めネジ穴に螺合仮止めし、さらに、前記羽根ハブと共に前記ファン仮止め板に共締めされ、かつ、前記カラーを前記送風ファンの方向に押圧するファン引止め板を備えたものである。
【００１０】
本発明によれば、軸受交換の際にボルトにて羽根ハブをファンケーシング側壁板に仮止めすることになり、ファン軸を羽根ハブから取り外すことなく軸受交換ができる。また、軸受交換後はボルトを取り外せば羽根ハブはファンケーシング側壁板との仮止めが解かれる。
【００１１】
このように、羽根ハブとファンケーシング側壁板とに穿設した複数個のネジ穴とネジ挿入穴だけで軸受交換を可能にすることができるものであり、面接触可能なテーパー面を必要とせず構造の簡素化とコストの低減化を計った送風機器の軸受交換装置が得られる。
【００１２】
また、軸受交換の際に、ファン引止め板によってカラーを送風ファンの方向に押圧することによって、軸受を取り外したときの送風ファンの傾きを僅少に押さえることができる。
【００１３】
【発明の実施の形態】
以下、本発明の実施例について図面を参照しながら説明する。
【００１４】
（前提例１）
図１、図２、図３に示すように、送風ファン１は羽根ハブ２ａに固定された羽根車３とからなり、吸込ダクト４ａを直接に連結するファンケーシング５ａに外形を囲まれファン軸６に嵌着されている。或いは空調機器の構成体のユニットとして吸気室７に連結される吸込口を有する送風ユニット８に外形を囲まれファン軸６に嵌着されている。
【００１５】
ファン軸６は、送風ファン１の反吸込側に設けた軸受架台９ａに受承された軸受１０と送風ファン１との間をファン軸６が貫通する開口を有するファンケーシング５ａの側壁板１１、或いは仕切り板１２で区画されている。ここで、側壁板１１と仕切り板１２はほとんど同様の機能を有する。ファン軸６に固定されたプーリー１３は駆動源（図示せず）からベルトを介して伝達駆動される。
【００１６】
ファンケーシング５ａの側壁板１１及び送風ユニット８の仕切り板１２と羽根ハブ２ａには軸受１０の径方向最突出部よりファン軸心１４から隔たった位置に、側壁板１１と羽根ハブ２ａをボルト１５の複数個で共締めするための挿入穴１６を側壁板１１に設け、羽根ハブ２ａにはボルト１５の螺合ネジ穴１７を螺設して軸受交換の際に備えている。
【００１７】
軸受交換の際には、複数個のボルト１５を挿入穴１６を介して螺合ネジ穴１７にネジ締めして締め付けることにより、側壁板１１に羽根ハブ２ａが共締めして挟持固定される。
【００１８】
（前提例２）
図４は片持形送風機器の吸込流と吐出流がファン軸に平行な送風ファン１８を示し、ファン軸６に平行流の送風ファン１９は羽根ハブ２ｂに固定された羽根２０とからなり、吸込ダクト４ｂを連結するファンケーシング５ｂに外形を囲まれファン軸６に嵌着されている。
【００１９】
ファン軸６はファン軸に平行流の送風ファン１９の反吸込側に設けた軸受架台９ｂに受承された軸受１０と、ファン軸に平行流の送風ファン１９との間をファン軸６が貫通する開口を有するファン仮止め板２１で区画されている。
【００２０】
ファン仮止め板２１との羽根ハブ２ｂには軸受１０の径方向最突出部よりファン軸心１４から隔たった位置、ファン仮止め板２１と羽根ハブ２ｂをボルト１５の複数個で共締めするための挿入穴１６をファン仮止め板２１に設け、羽根ハブ２ｂにはボルト１５の螺合ねじ穴１７を螺設して軸受交換の際に備えている。
【００２１】
軸受交換の際には、複数個のボルト１５を挿入穴１６を介して螺合ネジ穴１７にネジ締めして締め付けることになり、ファン仮止め板２１の羽根ハブ２ｂが共締めして挟持固定される。ファン軸に平行流として軸流ファンと斜流ファンが使用できる。
（実施例１）
図６、図７に示すように、カラー２５はファンケーシング５ａの側壁板１１と軸受１０との間に側壁板１１に近接してファン軸６に固定されている。
【００２２】
また、ファン引止め板２７は、フォーク状爪２６を有し、側壁板１１と共に羽根ハブ２ａをボルト１５で共締めして挟持固定される。このファン引止め板２７は、軸受１０の交換の際に、カラー２５と軸受１０との間でカラー２５を送風ファン１の方向に押圧する。このような構成によれば、軸受１０を取り外した際に、送風ファンの自重で送風ファン側への傾きを僅少に押さえることができる。
【００２３】
（実施例２）
図７、図８に示すように、カラー２５はファン仮止め板２１と軸受１０との間にファン仮止め板２１に近接してファン軸６に固定されている。
【００２４】
また、ファン引止め板２７は、フォーク状爪２６を有し、ファン仮止め板２１と共に羽根ハブ２ａをボルト１５で共締めして挟持固定される。このファン引止め板２７は、軸受１０の交換の際に、カラー２５と軸受１０との間でカラー２５をファン軸６に平行流の送風ファン１８の方向に押圧する。このような構成によれば、軸受１０を取り外した際に、送風ファンの自重で送風ファン側への傾きを僅少に押さえることができる。
（実施例３）
図９に示すように、ファン軸６にＵ字溝２８がファンケーシング５ａの側壁板１１と軸受１０との間に側壁板１１に近接して形成されている。
【００２５】
ファン引止め板２７はこのＵ字溝２８に係合するフォーク状爪２６を形成しかつ、側壁板１１と共に羽根ハブ２ａをボルト１５で共締めするボルト挿入穴１６が設けられている。このファン引止め板２７は、軸受１０の交換の際に、Ｕ字溝２８に係合してファン軸６を送風ファン１の方向に押圧する。このような構成によれば、軸受１０を取り外した際に、送風ファンの自重で送風ファン側への傾きを僅少に押さえることができる。
【００２６】
（実施例４）
図１０に示すように、ファン軸６にＵ字溝２８がファン仮止め板２１と軸受１０との間にファン仮止め板２１に近接して形成されている。
【００２７】
ファン引止め板２７はこのＵ字溝２８に係合するフォーク状爪２６を形成し，かつ、ファン仮止め板２１と共に羽根ハブ２ｂをボルト１５で共締めするボルト挿入穴１６が設けられている。このファン引止め板２７は、軸受１０の交換の際に、Ｕ字溝２８に係合して、ファン軸６を送風ファン１８の方向に押圧する。このような構成によれば、軸受１０を取り外した際に、送風ファンの自重で送風ファン側への傾きを僅少に押さえることができる。
【００２８】
【発明の効果】
以上の実施例から明らかなように、本発明によれば羽根ハブとファンケーシングの側壁板に軸受の径方向最突出部よりファン軸心から隔たった位置に、ボルトのネジ穴を羽根ハブにファンケーシングの側壁板にボルトの挿入穴を設けて、軸受交換の際に双方をボルトで共締めして挟持固定することにより、ファン軸を羽根ハブに嵌着したまま軸受の脱着作業ができ、軸受交換の自動調心のための面接可能な製作コストの高価なテーパー面を形成したテーパーブッシュ、羽根ハブ、ケーシンググランドの３つの構成部品を必要とせず、部品点数を増やすことなく装置が簡単で低コストの効果のある送風機器の軸受交換装置を提供できる。
【００２９】
また、空調機器の構成体の送風ユニットとして、仕切り板を同構造にした場合も同様の効果が得られる。
【００３０】
また、送風方向がファン軸に平行な片持形送風機体において、送風ファンの反吸込側の軸受架台に配設されたファン仮止め板と羽根ハブに、軸受の径方向最突出部よりファン軸心から隔たった位置にボルトの挿入穴をファン仮止め板にボルトのネジ穴を羽根ボスに設けて、軸受交換の際に双方をボルトで共締めして挟持固定することにより、ファン軸を羽根ハブに嵌着したまま軸受の脱着作業ができる効果のある送風機器の軸受交換装置を提供できる。
また、ファン軸にファンケーシングの側壁板に近接して設けたカラーを、吸込口の方向にフォーク状爪で押圧するファン引止め板を設けて、ファン引止め板と側壁板と羽根ハブとを共締めして挟持固定することにより、ファン軸の軸方向の動きが止められファン軸を軸受交換前の初期位置に保持したまま軸受位置の調整不要にすることができる効果のある送風機器の軸受交換装置を提供できる。
【００３１】
また、ファン軸にファン仮止め板に近接して設けたカラーを、吸込口の方向にフォーク状爪で押圧するファン引止め板を設けて、ファン引止め板とファン仮止め板と羽根ハブとを共締めして挟持固定することにより、ファン軸の軸方向の動きが止められファン軸を軸受交換前の初期位置に保持したまま軸受位置の調整を不要にすることができる効果のある送風機器の軸受交換装置を提供できる。
【００３２】
また、ファン軸にファンケーシングの側壁板に近接して設けたＵ字溝を、吸込口の方向にフォーク状爪が係合して押圧するファン引止め板を設けて、ファン引止め板と側壁板と羽根ハブとを共締めして挟持固定することにより、ファン軸の軸方向の動きが止められファン軸を軸受交換前の初期位置に保持したまま軸受位置の調整を不要にすることができる効果のある送風機器の軸受交換装置を提供できる。
【００３３】
また、ファン軸にファン仮止め板に近接して設けたカラーに近接して設けたＵ字溝を、吸込口の方向にフォーク状爪に係合して押圧するファン引止め板を設けて、ファン引止め板とファン仮止め板と羽根ハブとを共締めして挟持固定することにより、ファン軸の軸方向の動きが止められファン軸を軸受交換前の初期位置に保持したまま軸受位置の調整を不要にすることができる効果のある送風機器の軸受交換装置を提供できる。
【図面の簡単な説明】
【図１】  本発明の前提例１の構成断面図
【図２】  同構成断面図
【図３】  同要部詳細図
【図４】  本発明の前提例２の構成断面図
【図５】  参考図
【図６】  本発明の実施例１の要部詳細断面図
【図７】  本発明の実施例１、２の部品図
【図８】  本発明の実施例２の要部詳細断面図
【図９】  本発明の実施例３の要部詳細断面図
【図１０】  本発明の実施例４の要部詳細断面図
【図１１】  従来例の構成断面図
【図１２】  同要部詳細断面図
【符号の説明】
１      送風ファン
２ａ    羽根ハブ
２ｂ    羽根ハブ
３      羽根車
４ａ    吸込ダクト
４ｂ    吸込ダクト
５ａ    ファンケーシング
５ｂ    ファンケーシング
６      ファン軸
７      吸気室
８      送風ユニット
９ａ    軸受架台
９ｂ    軸受架台
１０    軸受
１１    側壁板
１２    仕切り板
１３    プーリー
１４    軸心
１５    ボルト
１６    挿入穴
１７    螺合ネジ穴
１８    送風ファン
１９    送風方向がファン軸に平行な送風ファン
２０    羽根
２１    ファン仮止め板
２２    軸受緩衝部材
２３    主板
２４    ファン受け部材
２５    カラー
２６    フォーク状爪
２７    ファン引止め板
２８    Ｕ字溝
１０１  送風ファン
１０２  羽根車
１０３  羽根ハブ
１０４  テーパーブッシング
１０５  ファン軸
１０６  軸受
１０７  テーパー面部
１０８  切欠部
１０９  ボルト
１１０  ファンケーシング
１１１  ケーシンググランド
１１２  テーパー面
１１３  ボルト
【図１】
0004306840.tif 000002
【図２】
0004306840.tif 000003
【図３】
0004306840.tif 000004
【図４】
0004306840.tif 000005
【図５】
0004306840.tif 000006
【図６】
0004306840.tif 000007
【図７】
0004306840.tif 000008
【図８】
0004306840.tif 000009
【図９】
0004306840.tif 000010
【図１０】
0004306840.tif 000011
【図１１】
0004306840.tif 000012
【図１２】
0004306840.tif 000013